(57)【要約】【課題】  カラープルーフの特色のカラー情報を取得できない場合であっても、表示手段に特色を表現させることが可能な画像表示装置、画像出力システム、画像表示方法、その方法を実行するコンピュータプログラム、および、そのコンピュータプログラムを記録した情報記録媒体を提供する。【解決手段】  ＣＰＵ３１は、モニタ４に表示される所定の表示色のカラー情報を予め設定登録するための表示色設定手段３０１を実行し、カラープルーフに含まれる特色のカラー情報を検出するためのカラー情報検出手段３０２を実行し、カラー情報が検出できなかったとき、上記設定登録された表示色のカラー情報を当該特色のカラー情報として設定するためのカラー情報設定手段３０３を実行し、この設定されたカラー情報を基に当該特色をモニタ４に表示させるための表示制御手段３０４を実行する。【選択図】      図１
2005094504.tif 000002
【特許請求の範囲】
【請求項１】
特色を含む画像データに基づくカラープルーフの仕上がりを確認するために、前記画像データに基づく画像を所定の表示手段に表示させるための画像表示装置において、
前記表示手段に表示される所定の表示色のカラー情報を予め設定して登録するための表示色設定手段と、
前記カラープルーフの前記画像データを形成する前記特色のカラー情報を検出するためのカラー情報検出手段と、
前記カラー情報検出手段により前記特色の前記カラー情報を検出できなかったとき、前記表示色設定手段を用いて設定登録された前記表示色の前記カラー情報を、前記特色のカラー情報として設定するカラー情報設定手段と、
前記カラー情報設定手段により設定された前記カラー情報を基に前記特色を前記表示手段に表示させる表示制御手段と、
を備えたことを特徴とする画像表示装置。
【請求項２】
前記表示色設定手段を用いて設定登録される前記表示色の前記カラー情報は、前記カラープルーフを形成するプロセスカラーに対し所定値以上の色差を有する色のカラー情報であることを特徴とする請求項１記載の画像表示装置。
【請求項３】
前記表示手段は、Ｒ、Ｇ、Ｂからなる三原色に基づき画像を表示するよう構成されており、
前記表示色設定手段を用いて設定登録される前記表示色の前記カラー情報は、Ｒを主体とする色成分を有する色のカラー情報、Ｇを主体とする色成分を有する色のカラー情報、および／または、Ｂを主体とする色成分を有する色のカラー情報である、
ことを特徴とする請求項２記載の画像表示装置。
【請求項４】
前記表示色設定手段は、複数の前記表示色の前記カラー情報を所定の優先順位を定めて設定登録可能とし、
前記カラー情報設定手段は、前記カラー情報検出手段により前記カラー情報を検出できなかった前記特色が複数であることに対応し、前記表示色設定手段を用いて設定登録された前記優先順位に応じて、前記検出できなかった前記複数の前記特色毎の前記カラー情報を設定する、
ことを特徴とする請求項１ないし請求項３のいずれかに記載の画像表示装置。
【請求項５】
特色を含む画像データに基づくカラープルーフの仕上がりを確認するために、前記画像データに基づく画像を所定の表示手段に表示させるための画像表示装置において、
前記カラープルーフの前記画像データを形成する前記特色のカラー情報を検出するためのカラー情報検出手段と、
前記カラー情報検出手段により検出された前記特色の前記カラー情報を基に、前記特色が所定値以上の明度を有しているか判断する明度判断手段と、
前記所定値以上の明度を有していないと前記明度判断手段により判断された前記特色の前記カラー情報を、前記特色の前記明度が前記所定値以上となるように変更するためのカラー情報変更手段と、
前記カラー情報変更手段により変更された前記特色の前記カラー情報を基に、前記特色を前記表示手段に表示させる表示制御手段と、
を備えたことを特徴とする画像表示装置。
【請求項６】
特色を含む画像データに基づくカラープルーフの仕上がりを確認するために、前記画像データに基づく画像を所定の表示手段に表示させるための画像表示装置において、
前記カラープルーフの前記画像データを形成する前記特色のカラー情報を検出するためのカラー情報検出手段と、
前記カラー情報検出手段により検出された前記特色の前記カラー情報を基に、前記特色が所定値以上の彩度を有しているか判断する彩度判断手段と、
前記所定値以上の彩度を有していないと前記彩度判断手段により判断された前記特色の前記カラー情報を、前記彩度が前記所定値以上となるように変更するためのカラー情報変更手段と、
前記カラー情報変更手段により変更された前記特色の前記カラー情報を基に、前記特色を前記表示手段に表示させる表示制御手段と、
を備えたことを特徴とする画像表示装置。
【請求項７】
特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、
前記画像表示装置は、
前記表示手段に表示される所定の表示色のカラー情報を予め設定して登録するための表示色設定手段と、
前記カラープルーフの前記画像データを形成する前記特色のカラー情報を検出するためのカラー情報検出手段と、
前記カラー情報検出手段により前記特色の前記カラー情報を検出できなかったとき、前記表示色設定手段を用いて設定登録された前記表示色の前記カラー情報を、前記特色のカラー情報として設定するカラー情報設定手段と、
前記カラー情報設定手段により設定された前記カラー情報を基に前記特色を前記表示手段に表示させる表示制御手段と、
を備えていることを特徴とする画像出力システム。
【請求項８】
特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、
前記画像表示装置は、
前記カラープルーフの前記画像データを形成する前記特色のカラー情報を検出するためのカラー情報検出手段と、
前記カラー情報検出手段により検出された前記特色の前記カラー情報を基に、前記特色が所定値以上の明度を有しているか判断する明度判断手段と、
前記所定値以上の明度を有していないと前記明度判断手段により判断された前記特色の前記カラー情報を、前記特色の前記明度が前記所定値以上となるように変更するためのカラー情報変更手段と、
前記カラー情報変更手段により変更された前記特色の前記カラー情報を基に、前記特色を前記表示手段に表示させる表示制御手段と、
を備えていることを特徴とする画像出力システム。
【請求項９】
特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、
前記画像表示装置は、
前記カラープルーフの前記画像データを形成する前記特色のカラー情報を検出するためのカラー情報検出手段と、
前記カラー情報検出手段により検出された前記特色の前記カラー情報を基に、前記特色が所定値以上の彩度を有しているか判断する彩度判断手段と、
前記所定値以上の彩度を有していないと前記彩度判断手段により判断された前記特色の前記カラー情報を、前記特色の前記彩度が前記所定値以上となるように変更するためのカラー情報変更手段と、
前記カラー情報変更手段により変更された前記特色の前記カラー情報を基に、前記特色を前記表示手段に表示させる表示制御手段と、
を備えていることを特徴とする画像出力システム。
【請求項１０】
特色を含む画像データに基づくカラープルーフの仕上がりを確認するために、前記画像データに基づく画像を所定の表示手段に表示させるための画像表示方法において、
前記表示手段に表示される所定の表示色のカラー情報を予め設定して登録するための表示色設定ステップと、
前記カラープルーフの前記画像データを形成する前記特色のカラー情報を検出するためのカラー情報検出ステップと、
前記カラー情報検出ステップにより前記特色の前記カラー情報を検出できなかったとき、前記表示色設定ステップにより設定登録された前記表示色の前記カラー情報を、前記特色のカラー情報として設定するカラー情報設定ステップと、
前記カラー情報設定ステップにより設定された前記カラー情報を基に前記特色を前記表示手段に表示させる表示制御ステップと、
を備えたことを特徴とする画像表示方法。
【請求項１１】
特色を含む画像データに基づくカラープルーフの仕上がりを確認するために、前記画像データに基づく画像を所定の表示手段に表示させるための画像表示方法において、
前記カラープルーフの前記画像データを形成する前記特色のカラー情報を検出するためのカラー情報検出ステップと、
前記カラー情報検出ステップにより検出された前記特色の前記カラー情報を基に、前記特色が所定値以上の明度を有しているか判断する明度判断ステップと、
前記所定値以上の明度を有していないと前記明度判断ステップにより判断された前記特色の前記カラー情報を、前記特色の前記明度が前記所定値以上となるように変更するためのカラー情報変更ステップと、
前記カラー情報変更ステップにより変更された前記特色の前記カラー情報を基に、前記特色を前記表示手段に表示させる表示制御ステップと、
を備えたことを特徴とする画像表示方法。
【請求項１２】
特色を含む画像データに基づくカラープルーフの仕上がりを確認するために、前記画像データに基づく画像を所定の表示手段に表示させるための画像表示方法において、
前記カラープルーフの前記画像データを形成する前記特色のカラー情報を検出するためのカラー情報検出ステップと、
前記カラー情報検出ステップにより検出された前記特色の前記カラー情報を基に、前記特色が所定値以上の彩度を有しているか判断する彩度判断ステップと、
前記所定値以上の彩度を有していないと前記彩度判断ステップにより判断された前記特色の前記カラー情報を、前記特色の前記彩度が前記所定値以上となるように変更するためのカラー情報変更ステップと、
前記カラー情報変更ステップにより変更された前記特色の前記カラー情報を基に、前記特色を前記表示手段に表示させる表示制御ステップと、
を備えたことを特徴とする画像表示方法。
【請求項１３】
請求項１０ないし請求項１２のいずれかに記載の画像表示方法をコンピュータに実行させることを特徴とするコンピュータプログラム。
【請求項１４】
請求項１３に記載のコンピュータプログラムを記録したことを特徴とする情報記録媒体。
【発明の詳細な説明】
【技術分野】
【０００１】
本発明は、画像表示装置、画像出力システム、画像表示方法、その方法を実行するコンピュータプログラム、および、そのコンピュータプログラムを記録した情報記録媒体に関する。より詳しくは、印刷物の校正作業を行うためのカラープルーフを実際に出力する前にその仕上がり具合を確認するために、所定の表示手段に当該カラープルーフの画像を表示させることが可能な画像表示装置、画像出力システム、画像表示方法、その方法を実行するコンピュータプログラム、および、そのコンピュータプログラムを記録した情報記録媒体に関するものである。
【背景技術】
【０００２】
従来、印刷工業分野においては、平台校正機で校正刷りを行う方式や、フィルムと銀塩ペーパーとを密着多重露光させてカラー画像を取得する方式などにより、最終的なカラー印刷物のレイアウト、文字等の仕上がり具合や色調などを実際に印刷する前に確認し校正を行うのが一般的であった。
【０００３】
近年では、デジタル技術の急速な進歩に伴い、デジタルデータをコンピュータ上で処理して製版作業を行うＤＴＰ（Ｄｅｓｋ Ｔｏｐ Ｐｕｂｌｉｓｈｉｎｇ）が広く普及している。また、画像出力の方式も、デジタルデータを直接フィルム上に結像させるイメージセッタや、直接刷版上に結像させるＣＴＰ（Ｃｏｍｐｕｔｅｒ Ｔｏ Ｐｌａｔｅ）などが中心を担うようになってきた。このデジタル化の傾向に促されるように、カラー印刷物の校正物の作成もＤＣＣＰ（Ｄｉｒｅｃｔ Ｄｉｇｉｔａｌ Ｃｏｌｏｒ Ｐｒｏｏｆ）方式が主流となってきている。ＤＣＣＰ方式の具体的手法としては、インキシートをレーザで露光して転写を行いカラープルーフ（多色刷り見本）を出力するものや、銀塩ペーパーをレーザで露光してカラープルーフを出力するものなどが広く用いられている。なお、ＤＣＣＰは、通常、印刷インキの基本色であるＣ（シアン）版、Ｍ（マゼンタ）版、Ｙ（イエロー）版およびＫ（ブラック）版に色分解されたデータに基づいてカラープルーフの作成が行われる。
【０００４】
下記の特許文献１には、インキシートをレーザで露光し転写する手法を採用した装置の一例が開示されている。当該文献に記載された装置は、制御部による制御に従い、出力画像の画像情報に応じて変調させたレーザ光により回転ドラムにロードされたドナーシート（インキシート）を露光し、その色材を重ね合わされたレシーバシートに転写するための露光部を備えている。このような処理によりカラープルーフが出力されるようになっている。
【０００５】
この手法は、印刷時と同一の用紙を用いることができるので用紙の地色に関する処理が必要なく、またインキの色に合わせた顔料からなるインキシートを用いることによりカラープルーフの発色を印刷物のそれに一致させることができるなどのアドバンテージを有する一方、インキの種類ごとにインキシートの組を用意しておく必要があり、保管上の問題やコスト面での問題がある。また、基本色Ｃ、Ｍ、Ｙ、Ｋの組み合わせでは正確に再現することが不可能なため、特別にインキを調合して作成される標準的でない色（特色と呼ばれる。例えばメタリックや蛍光色など。）の出力に対応できないために、ＲＩＰ（Ｒａｓｔｅｒ Ｉｍａｇｅ Ｐｒｏｃｅｓｓｏｒ）によって基本色の組み合わせで表現することにより特色を再現するようになっている。
【０００６】
また、特許文献２には、銀塩ペーパーにレーザで露光する手法を採用した装置の一例が開示されている。当該文献に記載された装置には、レッドレーザ光源、グリーンレーザ光源およびブルーレーザ光源を備えた光学ユニットと、銀塩ペーパーを吸着し回動可能に構成されたドラムを備えた主走査部と、光学ユニットをドラムの回動方向と直交する方向に走査するための副走査部とが設けられ、ドラムに吸着された銀塩ペーパーをＲ、Ｇ、Ｂのレーザ光量を調整しながら露光処理してカラープルーフを出力するようになっている。
【０００７】
このような銀塩ペーパーによるカラープルーフでは、Ｃ、Ｍ、Ｙ、Ｋの各ドットの発色は感光層の発色によって決まるため、発色方法の違いや用紙の違いなどにより、実際に印刷されたときの色調や濃度と同一にならない場合がある。そのため、銀塩ペーパーの発色成分は変えずに、ＲＩＰによって網点の大きさや基本色Ｃ、Ｍ、Ｙ、Ｋの掛け合わせの割合を変更することにより、カラープルーフで再現する色の印象を実際の印刷物に一致させるようになっている。このような処理をカラーマネジメントと称することがある。
【０００８】
また、銀塩ペーパーを使用しているため、Ｒ、Ｇ、Ｂのレーザ光量を調整して出力することにより特色を近似的に表現することが可能である。
【０００９】
更に近年では、実際の印刷物を測色し、この結果に応じて測色された色に対応するＣ、Ｍ、Ｙ、Ｋによる表現を決定し、その色を露光して再現する際のレーザ光量を制御することによりカラープルーフの再現精度を向上させる手法が用いられている。この手法によりカラープルーフを出力する装置の一例としては、特許文献３に記載されたものがある。この装置は、網％データに基づいて印刷されたカラーパッチ画像を構成する各カラーパッチを測色計で測定して、Ｃ、Ｍ、Ｙ、Ｋの色空間上の座標値とＬ＊ａ＊ｂ＊色空間上の座標値との対応関係を取得するとともに、パーソナルコンピュータにより順次発生されたＲＧＢ３色の画像データに基づいて作成されたカラーパッチ画像を構成する各カラーパッチを測色計で測色して、ＲＧＢの色空間上の座標値とＬ＊ａ＊ｂ＊色空間上の座標値との対応関係を取得するよう構成されている。そして、これらの対応関係に基づいてカラープルーフの出力を制御するようになっている。
【００１０】
なお、特色については、特色名とその特色の網％が１００％の場合のベタのパッチのＬ＊ａ＊ｂ＊色空間の座標値との対応関係を取得して、カラープルーフの出力制御を行うようになっている。
【００１１】
以上のような装置を用いて出力されるカラープルーフは、色の再現性が非常に良く、校正を精密に行うことが可能となる反面、その出力にはかなりのコストが必要である。したがって、カラープルーフを出力して確認するまでもない編集ミス等を把握するための何らかの手法を用いて、無駄なカラープルーフの出力を出来うる限り行わないようにすることが望ましい。
【００１２】
このような要望に鑑みて、カラープルーフを出力する直前の画像データ（Ｂｉｔｍａｐデータ）を基に、画像をモニタ上で再現表示する手法が用いられる場合がある。例えば、特許文献４には、特色版を基本色版に分配（擬似色変換）し、テクスチャ変換を行った後に、ＲＧＢ変換することにより、モニタ表示される画像にテクスチャ（肌理や質感などを表す濃淡分布）を持たせ、表示画像の色調を印刷物のそれに合わせるよう構成された画像表示方法および装置が開示されている。
【００１３】
更に、特許文献５には、印刷物のノセ部分（印刷時に版ズレが起きても白抜けが生じないように、隣接する色の境界が一部重なるように画像データを加工した部分）の処理が適正に行われているか検査するために、検査対象画像上の注目画素およびその周辺画素の連続性を判定するための校正が開示されている。また、不連続な箇所が検出された場合には、その箇所が強調された検査結果シートを印刷することで、不連続箇所の認識の容易化が図られている。
【００１４】
また、モニタでの表示は、通常ＲＧＢで表現されるため、基本色、特色の画像データをＲＧＢの形式に変換する必要がある。特に、特色を表示する場合には、対応する表示色を予め指定しておき、特色の部分をその表示色で代替表示する方法や、特色の画像データに設定された基本色のパラメータを演算する方法等で対処するのが通常である。
【００１５】
また、モニタ表示におけるＲＧＢの色域に特色の色域が含まれていない場合が多々あるため、特色を忠実に再現できないという技術的な壁が存在している。このような事情を斟酌して、色（特に特色）の再現精度を向上させるよりも、モニタ上で各色の識別が明確となるような表示手法が望まれているのが現状である。
【００１６】
しかしながら、従来の技術では、特に特許文献４に開示された方法・装置のように、モニタ上での色の再現性の向上を主眼に置いたものが多く、結局、モニタのＲＧＢでは識別が困難な色まで忠実に表現しようとしてしまう。更に、このように忠実な表現を希求するために様々な演算を行わなければならず、印刷業界で用いられるような大容量の画像データを処理する場合には処理のレスポンスが低下してしまうなど、現実の使用において問題があると言える。
【００１７】
また、分版出力等のように特色カラーが設定されていない場合、特色は黒で表現されるのが一般的である。このような場合、特許文献５に示すようなノセ部分の強調を実行したとしても、その部分を明確に認識することができない。実際の処理においては、特色を一度読み込んだ後に、特色カラーの表示色の変更を行うことによってこれに対処していたが、処理の迅速性等の観点から不利を被ることは否めない。
【００１８】
【特許文献１】特開平６−３２８７５２号公報（明細書段落〔００２８〕、〔００３５〕、第９図、第１６図）
【特許文献２】特開平１１−２０５６２２号公報（明細書段落〔０００３〕−〔００７〕、〔００２４〕、〔００２５〕、〔００３６〕、〔００５６〕          ）
【特許文献３】特開２００１−１５７０７４号公報（明細書段落〔００４３〕−〔００５４〕）
【特許文献４】特開平９−２５２４１５号公報（明細書〔請求項〕、段落〔００２４〕）
【特許文献５】特開２０００−２４６８６２号公報（明細書〔請求項〕、第２図）
【発明の開示】
【発明が解決しようとする課題】
【００１９】
本発明は、以上のような背景を鑑みてなされたもので、カラープルーフに含まれる特色を表現するためのカラー情報を取得できない場合であっても、モニタ等の表示手段に特色を表現させることが可能な画像表示装置、画像出力システム、画像表示方法、その方法を実行するコンピュータプログラム、および、そのコンピュータプログラムを記録した情報記録媒体を提供することを目的としている。
【００２０】
また、本発明は、表示手段に表現される上記特色の識別力を向上させることが可能な画像表示装置、画像出力システム、画像表示方法、その方法を実行するコンピュータプログラム、および、そのコンピュータプログラムを記録した情報記録媒体を提供することを目的としている。
【課題を解決するための手段】
【００２１】
上記目的を達成するために、請求項１に記載の発明は、特色を含む画像データに基づくカラープルーフの画像データの仕上がりを確認するために、前記画像データに基づく画像を所定の表示手段に表示させるための画像表示装置において、前記表示手段に表示される所定の表示色のカラー情報を予め設定して登録するための表示色設定手段と、前記カラープルーフの前記画像データを形成する前記特色のカラー情報を検出するためのカラー情報検出手段と、前記カラー情報検出手段により前記特色の前記カラー情報を検出できなかったとき、前記表示色設定手段を用いて設定登録された前記表示色の前記カラー情報を、前記特色のカラー情報として設定するカラー情報設定手段と、前記カラー情報設定手段により設定された前記カラー情報を基に前記特色を前記表示手段に表示させる表示制御手段と、を備えたことを特徴とする。
【００２２】
また、上記目的を達成するために、請求項２に記載の発明は、請求項１記載の画像表示装置であって、前記表示色設定手段を用いて設定登録される前記表示色の前記カラー情報は、前記カラープルーフを形成するプロセスカラーに対し所定値以上の色差を有する色のカラー情報であることを特徴とする。
【００２３】
また、上記目的を達成するために、請求項３に記載の発明は、請求項２記載の画像表示装置であって、前記表示手段は、Ｒ、Ｇ、Ｂからなる三原色に基づき画像を表示するよう構成されており、前記表示色設定手段を用いて設定登録される前記表示色の前記カラー情報は、Ｒを主体とする色成分を有する色のカラー情報、Ｇを主体とする色成分を有する色のカラー情報、および／または、Ｂを主体とする色成分を有する色のカラー情報である、ことを特徴とする。
【００２４】
また、上記目的を達成するために、請求項４に記載の発明は、請求項１ないし請求項３のいずれかに記載の画像表示装置であって、前記表示色設定手段は、複数の前記表示色の前記カラー情報を所定の優先順位を定めて設定登録可能とし、前記カラー情報設定手段は、前記カラー情報検出手段により前記カラー情報を検出できなかった前記特色が複数であることに対応し、前記表示色設定手段を用いて設定登録された前記優先順位に応じて、前記検出できなかった前記複数の前記特色毎の前記カラー情報を設定する、ことを特徴とする。
【００２５】
また、上記目的を達成するために、請求項５に記載の発明は、特色を含む画像データに基づくカラープルーフの画像データの仕上がりを確認するために、前記画像データに基づく画像を所定の表示手段に表示させるための画像表示装置において、前記カラープルーフの前記画像データを形成する前記特色のカラー情報を検出するためのカラー情報検出手段と、前記カラー情報検出手段により検出された前記特色の前記カラー情報を基に、前記特色が所定値以上の明度を有しているか判断する明度判断手段と、前記所定値以上の明度を有していないと前記明度判断手段により判断された前記特色の前記カラー情報を、前記特色の前記明度が前記所定値以上となるように変更するためのカラー情報変更手段と、前記カラー情報変更手段により変更された前記特色の前記カラー情報を基に、前記特色を前記表示手段に表示させる表示制御手段と、を備えたことを特徴とする。
【００２６】
また、上記目的を達成するために、請求項６に記載の発明は、特色を含む画像データに基づくカラープルーフの画像データの仕上がりを確認するために、前記画像データに基づく画像を所定の表示手段に表示させるための画像表示装置において、前記カラープルーフの前記画像データを形成する前記特色のカラー情報を検出するためのカラー情報検出手段と、前記カラー情報検出手段により検出された前記特色の前記カラー情報を基に、前記特色が所定値以上の彩度を有しているか判断する彩度判断手段と、前記所定値以上の彩度を有していないと前記彩度判断手段により判断された前記特色の前記カラー情報を、前記特色の前記彩度が前記所定値以上となるように変更するためのカラー情報変更手段と、前記カラー情報変更手段により変更された前記特色の前記カラー情報を基に、前記特色を前記表示手段に表示させる表示制御手段と、を備えたことを特徴とする。
【００２７】
また、上記目的を達成するために、請求項７に記載の発明は、特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、前記画像表示装置は、前記表示手段に表示される所定の表示色のカラー情報を予め設定して登録するための表示色設定手段と、前記カラープルーフの前記画像データを形成する前記特色のカラー情報を検出するためのカラー情報検出手段と、前記カラー情報検出手段により前記特色の前記カラー情報を検出できなかったとき、前記表示色設定手段を用いて設定登録された前記表示色の前記カラー情報を、前記特色のカラー情報として設定するカラー情報設定手段と、前記カラー情報設定手段により設定された前記カラー情報を基に前記特色を前記表示手段に表示させる表示制御手段と、を備えていることを特徴とする。
【００２８】
また、上記目的を達成するために、請求項８に記載の発明は、特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、前記画像表示装置は、前記カラープルーフの前記画像データを形成する前記特色のカラー情報を検出するためのカラー情報検出手段と、前記カラー情報検出手段により検出された前記特色の前記カラー情報を基に、前記特色が所定値以上の明度を有しているか判断する明度判断手段と、前記所定値以上の明度を有していないと前記明度判断手段により判断された前記特色の前記カラー情報を、前記特色の前記明度が前記所定値以上となるように変更するためのカラー情報変更手段と、前記カラー情報変更手段により変更された前記特色の前記カラー情報を基に、前記特色を前記表示手段に表示させる表示制御手段と、を備えていることを特徴とする。
【００２９】
また、上記目的を達成するために、請求項９に記載の発明は、特色を含む画像データに基づくカラープルーフを出力するためのカラープルーフ出力装置と、前記カラープルーフの仕上がりを確認するために、前記画像データに基づく画像を所定の表示手段に表示させるための画像表示装置とを含んで構成された画像出力システムにおいて、前記画像表示装置は、前記カラープルーフの前記画像データを形成する前記特色のカラー情報を検出するためのカラー情報検出手段と、前記カラー情報検出手段により検出された前記特色の前記カラー情報を基に、前記特色が所定値以上の彩度を有しているか判断する彩度判断手段と、前記所定値以上の彩度を有していないと前記彩度判断手段により判断された前記特色の前記カラー情報を、前記特色の前記彩度が前記所定値以上となるように変更するためのカラー情報変更手段と、前記カラー情報変更手段により変更された前記特色の前記カラー情報を基に、前記特色を前記表示手段に表示させる表示制御手段と、を備えていることを特徴とする。
【００３０】
また、上記目的を達成するために、請求項１０に記載の発明は、特色を含む画像データに基づくカラープルーフの画像データの仕上がりを確認するために、前記画像データに基づく画像を所定の表示手段に表示させるための画像表示方法において、前記表示手段に表示される所定の表示色のカラー情報を予め設定して登録するための表示色設定ステップと、前記カラープルーフの前記画像データを形成する前記特色のカラー情報を検出するためのカラー情報検出ステップと、前記カラー情報検出ステップにより前記特色の前記カラー情報を検出できなかったとき、前記表示色設定ステップにより設定登録された前記表示色の前記カラー情報を、前記特色のカラー情報として設定するカラー情報設定ステップと、前記カラー情報設定ステップにより設定された前記カラー情報を基に前記特色を前記表示手段に表示させる表示制御ステップと、を備えたことを特徴とする。
【００３１】
また、上記目的を達成するために、請求項１１に記載の発明は、特色を含む画像データに基づくカラープルーフの画像データの仕上がりを確認するために、前記画像データに基づく画像を所定の表示手段に表示させるための画像表示方法において、前記カラープルーフの前記画像データを形成する前記特色のカラー情報を検出するためのカラー情報検出ステップと、前記カラー情報検出ステップにより検出された前記特色の前記カラー情報を基に、前記特色が所定値以上の明度を有しているか判断する明度判断ステップと、前記所定値以上の明度を有していないと前記明度判断ステップにより判断された前記特色の前記カラー情報を、前記特色の前記明度が前記所定値以上となるように変更するためのカラー情報変更ステップと、前記カラー情報変更ステップにより変更された前記特色の前記カラー情報を基に、前記特色を前記表示手段に表示させる表示制御ステップと、を備えたことを特徴とする。
【００３２】
また、上記目的を達成するために、請求項１２に記載の発明は、特色を含む画像データに基づくカラープルーフの画像データの仕上がりを確認するために、前記画像データに基づく画像を所定の表示手段に表示させるための画像表示方法において、前記カラープルーフの前記画像データを形成する前記特色のカラー情報を検出するためのカラー情報検出ステップと、前記カラー情報検出ステップにより検出された前記特色の前記カラー情報を基に、前記特色が所定値以上の彩度を有しているか判断する彩度判断ステップと、前記所定値以上の彩度を有していないと前記彩度判断ステップにより判断された前記特色の前記カラー情報を、前記特色の前記彩度が前記所定値以上となるように変更するためのカラー情報変更ステップと、前記カラー情報変更ステップにより変更された前記特色の前記カラー情報を基に、前記特色を前記表示手段に表示させる表示制御ステップと、を備えたことを特徴とする。
【００３３】
また、上記目的を達成するために、請求項１３に記載の発明は、請求項１０ないし請求項１２のいずれかに記載の画像表示方法をコンピュータに実行させるコンピュータプログラムであることを特徴とする。
【００３４】
また、上記目的を達成するために、請求項１４に記載の発明は、請求項１３に記載のコンピュータプログラムを記録した情報記録媒体であることを特徴とする。
【発明の効果】
【００３５】
請求項１に記載の画像表示装置、請求項７に記載の画像出力システムおよび請求項１０に記載の画像表示方法によれば、特色のカラー情報が取得できなかったことに対応して、当該特色に対してカラー情報を自動的に設定し、そのカラー情報に基づいて当該特色をモニタに表現するよう構成されているので、特色のカラー情報を取得できなかった場合であってもモニタに特色を表示することが可能となる。
【００３６】
請求項２および請求項３に記載の画像表示装置によれば、プロセスカラーに対して色差の大きな色のカラー情報を、特色のカラー情報として設定することが可能となるので、モニタ上における当該特色を明確に識別させることが可能となる。
【００３７】
請求項４記載の画像表示装置によれば、画像表示に係るカラープルーフに含まれる複数種類の特色のカラー情報を取得できなかった場合であっても、それぞれの特色に対して所定の優先順位に従って好適にカラー情報を設定することが可能となる。
【００３８】
請求項５に記載の画像表示装置、請求項８に記載の画像出力システムおよび請求項１１に記載の画像表示方法によれば、モニタ表示される特色の明度を判断し、この明度が十分でないものと判断されたことに対応して、当該明度を大きくするための制御を行うよう構成されているので、特色のモニタ上における識別力を向上させることが可能となる。
【００３９】
請求項６に記載の画像表示装置、請求項９に記載の画像出力システムおよび請求項１２に記載の画像表示方法によれば、モニタ表示される特色の彩度を判断し、この彩度が十分でないものと判断されたことに対応して、当該彩度を大きくするための制御を行うよう構成されているので、特色のモニタ上における識別力を向上させることが可能となる。
【発明を実施するための最良の形態】
【００４０】
以下、本発明に係る画像出力システムの実施の形態の一例について、図面を参照しながら詳細に説明する。この画像出力システムは、印刷物の校正作業を行うためのカラープルーフを出力可能に構成されたものであり、更に、実際に出力する前にカラープルーフの画像を表示手段に表示させて、その画像データに誤り等が無いかチェックするための構成を備えたシステムである。このような構成を備えることで、編集ミスを含んだカラープルーフを出力することによる無駄を未然に回避することが可能となる。
【００４１】
以下に説明する画像出力システムには、カラープルーフを実際に出力する前にその画像を表示手段に表示させるための制御を行う本発明の画像表示装置が含まれている。この画像表示装置には、本発明の情報記録媒体を介して、本発明のコンピュータプログラムがインストールされており、これにより本発明の画像表示方法が実現されるようになっている。なお、本発明のコンピュータプログラムをネットワーク上のサーバ等に保存しておき、画像表示装置からこのプログラムをダウンロードして使用するなどの各種の変形を施すことが可能である。
【００４２】
〔画像出力システムの特徴および用語の定義〕
本発明の画像出力システムは、特色を表示手段で表現するためのカラー情報を予め設定登録しておく機能を備えている。そして、入力されたカラープルーフの画像データから特色のカラー情報を取得できない場合など、特色のカラー情報を認識不能な場合に、上記設定登録しておいたカラー情報を用いて、特色を表示手段上で表現するための機能を備えている。また、所定の条件を満たすカラー情報を設定登録しておくことにより、表示される特色の識別力を向上させることを可能としている。
【００４３】
なお、ここで「カラー情報」とは、カラープルーフや表示手段によって表現可能な色の発色を決定するデータを意味することとし、その色の濃度、Ｌ＊ａ＊ｂ＊色空間におけるＬ＊、ａ＊、ｂ＊の座標値、ＣＭＹＫの数値、ＲＧＢの数値等がその具体例として挙げられる。このようなカラー情報のうち、対象となる色をＣＭＹＫ等の所定の色成分に分解して表現した情報を「色成分情報」または短縮して「色成分」と称することがある。
【００４４】
［第１の実施の形態］
以下、本発明の第１の実施形態としての画像出力システムの全体構成、その各部の詳細構成、およびシステムの動作・作用の順に説明を行うこととする。本実施形態の画像出力システムは、入力された画像データに特色のカラー情報が含まれていない場合やデータが判別不可能である場合など、特色のカラー情報が特定されていない場合であっても、高い識別力で特色を表示することを目的とするものである。
【００４５】
〔画像出力システムの全体構成〕
図１は、本実施形態の画像出力システムの概略構成の一例を示すブロック図である。同図に示すように、当該画像出力システムは、画像編集端末１Ａ〜１Ｃと、ＲＩＰ（Ｒａｓｔｅｒ Ｉｍａｇｅ Ｐｒｏｃｅｓｓｏｒ）２と、画像表示装置３と、モニタ４と、カラープルーフ出力装置５とを含んで構成されている。画像編集端末１Ａ〜１Ｃ、ＲＩＰ２および画像表示装置３は、ＬＡＮやＷＡＮ、インターネット等のネットワークＮを介してそれぞれ接続されている。
【００４６】
当該システムには、更に、ＲＩＰ２から送信される画像データを直接に刷版に結像して出力を行うＣＴＰ（Ｃｏｍｐｕｔｅｒ Ｔｏ Ｐｌａｔｅ）出力装置６が設けられている。このＣＴＰ出力装置６により出力された刷版を所定の印刷機に装着して印刷処理を行うことにより、印刷物が出力されるようになっている。本実施形態の画像出力システムは、この印刷物の刷版を校正するために用いられるカラープルーフの仕上がりをチェックするために、その画像を好適に表示可能とする構成を備えている。
【００４７】
〔画像編集端末の構成〕
画像編集端末１Ａ〜１Ｃは、ＤＴＰの手法を用いて、印刷物の画像データを複数の色版情報に分割して編集するためのアプリケーションソフトウェア等がインストールされたコンピュータ端末からなり、コンピュータ本体、キーボードおよびモニタ等に加えて、イメージスキャナ等の画像入力機器などを備えている。このような画像編集端末は、通常、複数台が設けられている（本実施形態では１Ａ〜１Ｃの３台設けられているが、もちろん１台のみの構成や所望の台数からなる構成としてよい）。各画像編集端末１Ａ〜１Ｃにより編集された画像データは、ネットワークＮを通じてＲＩＰ２に送信されるようになっているのが通常だが、ＲＩＰ２および画像変換装置３の双方に送信されるようにしてもよい。
【００４８】
〔ＲＩＰの構成〕
ＲＩＰ２は、画像編集端末１Ａ〜１Ｃを用いて編集された印刷物の電子製版の基となる画像データをネットワークＮを通じて受信し、文字やイメージデータを走査しながらビットマップに変換するプロセッサであって、ラスタイメージフォーマットのＣ（シアン）、Ｍ（マゼンタ）、Ｙ（イエロー）およびＫ（ブラック）の各基本色の網点画像データを面順次に生成することができる。
【００４９】
ＲＩＰ２により生成される画像データは、Ｃ、Ｍ、Ｙ、Ｋおよび特色の各色版からなるファイル形式であり、各色版ファイルには、その色版名称がファイル名として付されるようになっている。例えば、Ｃ版ファイルには「Ｃｙａｎ」、Ｍ版ファイルには「Ｍａｇｅｎｔａ」、Ｙ版ファイルには「Ｙｅｌｌｏｗ」、Ｋ版ファイルには「Ｂｌａｃｋ」、特色版ファイルには「ＳｐｏｔＣｏｌｏｒ Ｎ」（ここで、Ｎ＝１，２，・・・・は、各特色の識別番号を示している。例えば、Ｎ＝１はシルバーメタリック、Ｎ＝２は蛍光ピンク、という具合である。）と、それぞれファイル名が付される。なお、Ｃ版ファイル、Ｍ版ファイル、Ｙ版ファイルおよびＫ版ファイルをまとめて、基本色版ファイルと呼ぶこととする。ここで、ファイル名はこのような形態に限定されるものではなく、例えば、特色版のファイル名に「シルバーメタリック」、「蛍光ピンク」などの特色名をそのまま使用してもよい。
【００５０】
なお、ＲＩＰ２により生成される画像データは、このような各色版に形成されたファイル形式である必要はない。一変形例としては、ＲＩＰ２により生成される画像データは、一つの画像データとして形成され、所定の文字列（例えば、上記のファイル名と同様の文字列を採用できる）を用いて、各色版に関するデータの当該画像データ内における配置を特定するようなデータ構成とすることができる。
【００５１】
〔画像表示装置の構成〕
画像表示装置３は、所定の動作プログラムが組み込まれた情報処理装置で、通常のようにコンピュータ本体やキーボード等を備えている。また、画像表示装置３には、Ｒ（赤）、Ｇ（緑）、Ｂ（青）の三原色により画像を形成して表示するモニタ４（本発明にいう表示手段）が接続されており、画像表示装置３により処理される画像データ等を表示することができるようになっている。なお、モニタと一体的に構成された画像表示装置３を採用することも可能である。この画像表示装置３は、ＲＩＰ２からネットワークＮを介して取得される網点画像データを、カラープルーフ出力装置５により処理可能な露光用のフォーマットに変換するとともに、この露光用フォーマットに基づいてレーザの露光光量等を制御してカラープルーフを出力するための出力制御信号を生成し、変換された画像データとともにカラープルーフ出力装置５に送信するよう構成されている。なお、本実施形態ではカラープルーフ出力装置５を含むシステム構成を採用しているが、このカラープルーフ出力装置５を設けずに、編集された画像をモニタ４に表示して確認するためのシステム構成としてもよい。
【００５２】
図１にその構成の一例を示すように、画像表示装置３は、所定の演算処理や制御処理を実行するためのＣＰＵ３１と、このＣＰＵ３１により実行されるプログラムや、演算・制御に供されるデータ等が展開されるＲＡＭ等のメインメモリ３２と、ＲＩＰ２から送信された画像データを一時的に記憶して処理のタイミングを調整するためのバッファ３３と、モニタ４により表示される所定の表示色（詳細は後述する）に関する情報を保存するための表示色メモリ３４とを備えている。また、画像表示装置３には、モニタ４による画像表示を制御するための表示インターフェイス（表示Ｉ／Ｆ）３７が設けられている。
【００５３】
バッファ３３は、Ｃ版ファイル、Ｍ版ファイル、Ｙ版ファイル、Ｋ版ファイルおよび特色版ファイルの画像データを記憶するメモリ領域を備えている。これらのファイルは、それぞれ対応するメモリ領域に記憶されるようになっている。
【００５４】
また、表示色メモリ３４を特に設けず、上記所定の表示色に関する情報を後述のＨＤＤ３５等に保存するようにしてもよい。
【００５５】
画像変換装置３には、更に、ハードディスクドライブ（ＨＤＤ）３５、ユーザインターフェイス（ユーザＩ／Ｆ）３６およびインターフェイス部（Ｉ／Ｆ部）３８が設けられている。ＨＤＤ３５は、ＯＳ、動作プログラム、各種のデータやアプリケーションソフトウェア等を格納する不揮発性の記憶装置である。また、ユーザＩ／Ｆ３６は、ユーザが各種の操作や入力作業を行うキーボードやマウス等を含んでいる。また、Ｉ／Ｆ部３８は、ＲＩＰ２から送信される画像データの入力処理や、カラープルーフ出力装置４へと送信する画像データ・出力制御信号等の出力処理を行うためのインターフェイス回路を含んで構成されている。なお、入力用のインターフェイス回路と出力用のインターフェイス回路とをそれぞれ別個に備えた構成としてもよい。
【００５６】
画像変換装置３は、ＨＤＤ３５に格納されたコンピュータプログラムをメインメモリ３２にコピーし、コピーされたコンピュータプログラム（後述の各手段を構成する）をＣＰＵ３１が実行することで、本発明に係る機能を実現するようになっている。当該コンピュータプログラムは、フロッピー（登録商標）ディスクやＣＤ−ＲＯＭ、ＤＶＤ−ＲＯＭ等の情報記録媒体に予め記録されており、これを画像変換装置３にインストールすることにより、画像変換装置３上で動作されるようになっている。
【００５７】
メインメモリ３２は、ＣＰＵ３１の制御によりＨＤＤ３５からコピーされた、表示色設定手段３０１、カラー情報検出手段３０２、カラー情報設定手段３０３および表示制御手段３０４としての機能を実現するコンピュータプログラムを記憶する。
【００５８】
表示色設定手段３０１は、モニタ４で表示可能な所定の表示色に関するカラー情報（表示色情報と称する）を設定登録し、表示色メモリ３４に格納する機能を実現するコンピュータプログラムであり、このコンピュータプログラムを実行するＣＰＵ３１が本発明にいう表示色設定手段を構成している。ＣＰＵ３１は、表示色設定手段３０１を実行することにより、ユーザＩ／Ｆ３６を用いて表示色を設定入力するための入力画面をモニタ４に表示し、この入力画面から設定された表示色情報を表示色メモリ３４に格納するよう機能する。なお、適当な表示色からなる表示色情報を、表示色メモリ３４にあらかじめ格納しておくようにして、ユーザによる設定操作を省略する構成としてもよい。また、ネットワークや情報記録媒体等を介して、表示色情報を取得するよう構成することも可能である。
【００５９】
図２には、ＣＰＵ３１が表示色設定手段３０１を実行することにより設定された表示色情報の概要の一例が示されている。同図に示す表示色情報３４ａには、優先順位１、２および３とされた表示色情報が設定登録されている。優先順位１の表示色情報は、Ｃの色成分が１００％、Ｍの色成分が１００％、ＹおよびＫの色成分が０％とされており、青（Ｂ）を示している。また、優先順位２の表示色情報は、Ｃの色成分が１００％、Ｙの色成分が１００％、ＭおよびＫの色成分が０％とされており、緑（Ｇ）を示している。また、優先順位３の表示色情報は、Ｍの色成分が１００％、Ｙの色成分が１００％、ＣおよびＫの色成分が０％とされており、赤（Ｒ）を示している。なお、設定登録される表示色情報の種類は、任意の数とすることができる。また、優先順位は自由に設定可能である。
【００６０】
ここで、Ｒ、Ｇ、Ｂの各色は、その色成分を比較すると、プロセスカラーＣ、Ｍ、Ｙ、Ｋに対して大きな色差を有しているため、モニタ４に表示されたときにプロセスカラーとの区別が明確となる。また、Ｒ、Ｇ、Ｂ以外にも、Ｃ、Ｍ、Ｙ、Ｋに対して大きな色差を有する色を設定登録することができる。例えば、Ｒを主要な成分とする色、Ｇを主要な成分とする色、Ｂを主要な成分とする色などを採用することが可能である。
【００６１】
また、上記優先順位は、同系統の色が連続しないように設定されることが好ましい。例えば、優先順位１としてＲ、優先順位２としてＧ、優先順位３としてＢ、優先順位４としてＲを主要な成分とする色（Ｒ≠１００％）、優先順位５としてＧを主要な成分とする色（Ｇ≠１００％）、優先順位６としてＢを主要な成分とする色（Ｂ≠１００％）、・・・・といった具合である。このような順位の付け方とすれば、モニタ４に複数の特色が表示される場合に、異なる特色を示す色の重複や類似を回避することができる。
【００６２】
カラー情報検出手段３０２は、ＲＩＰ２から送信される画像データを形成する、Ｃ、Ｍ、Ｙ、Ｋおよび特色の色成分を検出するための機能を実現するコンピュータプログラムであり、このコンピュータプログラムを実行するＣＰＵ３１が本発明にいうカラー情報検出手段を構成している。。ＣＰＵ３１は、カラー情報検出手段３０２を実行することにより、ＲＩＰ２から送信されるＣ版ファイル、Ｍ版ファイル、Ｙ版ファイル、Ｋ版ファイル、および、一つまたは複数の特色版ファイルにそれぞれ保存された色成分情報をメインメモリ３２内の所定領域に記憶させるよう機能する。
【００６３】
カラー情報設定手段３０３は、カラー情報検出手段３０２が或る特色の色成分を検出できなかったことに対応して、表示色メモリ３４に保存された表示色情報のうちから、当該特色の色成分情報の代替データとなる表示色情報を選択設定する機能を実現するためのコンピュータプログラムであり、このコンピュータプログラムを実行するＣＰＵ３１が本発明にいうカラー情報設定手段を構成している。ＣＰＵ３１は、カラー情報検出手段３０２が動作したにも拘わらず、特色の色成分情報がメインメモリ３２に記憶されないことを検知し、その検知結果を基にカラー情報設定手段３０３を実行させる。そして、表示色メモリ３４に格納された表示色情報から上記代替データとなる表示色情報を選択し、これを特色の色情報として設定して画像データを形成する。
【００６４】
なお、上記の「特色の色成分を検出できなかった」とは、例えば、特色版ファイル内の色成分情報を認識できない場合や、その色成分情報の一部または全部が欠落してしまっている場合など様々なケースを意味し、換言すれば、理由の如何を問わず（もちろんカラープルーフが特色を含まない場合は除く）、特色の色成分情報を取得できなかった全てのケースを含むものとする。
【００６５】
図３には、ＣＰＵ３１がカラー情報設定手段３０３を実行したときの機能の一例が示されている。なお、ここでは、図２に示す表示色情報３４ａが用いられている。ＲＩＰ２から入力された画像データは、同図にその概要を示すように、Ｃ版ファイル（ファイル名Ｃｙａｎ）、Ｍ版ファイル（ファイル名Ｍａｇｅｎｔａ）、Ｙ版ファイル（ファイル名Ｙｅｌｌｏｗ）、Ｋ版ファイル（ファイル名Ｂｌａｃｋ）、第１の特色に対応する特色版ファイル１（ファイル名ＳｐｏｔＣｏｌｏｒ １）、および、第２の特色に対応する特色版ファイル２（ファイル名ＳｐｏｔＣｏｌｏｒ ２）から構成されている。ここで、特色版ファイル１，２に保存された色成分は、上記したような何らかの理由により不明な状態となっていることとする。なお、特色版ファイルの個数は２つに限定されるものではない。
【００６６】
ＣＰＵ３１は、カラー情報検出手段３０２の実行によって特色ファイル１、２の色成分を検出できなかったことに対応して、カラー情報設定手段３０３を実行に移す。ＣＰＵ３１はカラー情報設定手段３０３を実行することにより、表示色メモリ３４に格納された表示色情報３４ａから表示色情報を選択する。表示色の選択は、予め定められた優先順位に従って行われる。具体的には、特色版ファイル１に優先順位１の表示色の色成分を割り当て、特色版ファイル２に優先順位２の表示色の色成分を割り当てる。その結果、新たな色版ファイルが設定される。
【００６７】
表示制御手段３０４は、ＣＰＵ３１によって実行されることにより、カラー情報設定手段３０３により新たに設定された色版ファイルからなる画像をモニタ４に表示させるための制御を行うコンピュータプログラムであり、このコンピュータプログラムを実行するＣＰＵ３１が本発明にいう表示制御手段を構成している。より詳しく説明すると、図４に示すように、ＣＰＵ３１は、表示制御手段３０４を実行することにより、上記新たに設定された色版ファイルにＲＧＢ変換を施して表示用のファイル（「Ｒ」、「Ｇ」および「Ｂ」）に変換し、この表示用のファイルを基に表示Ｉ／Ｆ３７を制御して画像をモニタ４に表示させるよう機能する。
【００６８】
〔画像出力システムの動作・作用〕
以下、上記のような構成を備えた画像出力システムの動作・作用について、図５および図６に示すフローチャートを参照して説明する。図５のフローチャートは、本実施形態の画像出力システムによるカラープルーフの画像をモニタ表示するための処理の流れを示したものである。また、図６のフローチャートは、図５に示す処理の一部に関する一具体例を示している。
【００６９】
図５のフローチャートに示すように、まず、ＣＰＵ３１は、表示色設定手段３０１を実行して表示色の設定登録を行わせ、登録された表示色を表示色メモリ３４に表示色情報として保存する（Ｓ１）。画像編集端末１Ａ〜１Ｃにより編集された画像データがＲＩＰ２による処理を介して画像表示装置３に入力されると（Ｓ２）、カラー情報検出手段３０２は、当該画像データに含まれる特色のカラー情報を検出する（Ｓ３）。
【００７０】
カラー情報検出手段３０２を実行したがカラー情報を検出できなかった特色がある場合（Ｓ４；Ｙ）、ＣＰＵ３１はカラー情報設定手段３０３を実行し、表示色メモリ３４に保存された上記表示色情報を基に、当該特色のカラー情報を設定させる（Ｓ５）。更に、表示制御手段３０４を実行し、カラー情報設定手段３０３を実行して設定された特色のカラー情報にＲＧＢ変換を施すとともに、その他の色版ファイル（基本色版ファイルやカラー情報の検出に成功した特色の特色版ファイル）のカラー情報にＲＧＢ変換を施す（Ｓ６）。
【００７１】
一方、カラー情報を検出できなかった特色がない場合には（Ｓ４：Ｎ）、基本色版ファイルおよび特色版ファイルをＲＧＢ変換する（Ｓ６）。
【００７２】
なお、入力された画像データに特色版ファイルが含まれていない場合は、通常の処理の通りに、当該画像データを形成する基本色版ファイルにＲＧＢ変換を施すようになっている。
【００７３】
最後に、ＣＰＵ３１は、表示制御手段３０４を実行して、ＲＧＢ変換された画像データを基に、Ｉ／Ｆ部３８を制御してモニタ４に画像を表示させる（Ｓ７）。
【００７４】
図６のフローチャートは、カラー情報設定手段３０３を実行するときのＣＰＵ３１による処理の一具体例を示している。当該処理の前提として、表示色設定手段３０１の実行に伴いｋ（ｋ≧１）種類の表示色のカラー情報が表示色情報として設定登録されているものとし（Ｓ１’）、更に、カラー情報検出手段３０２の実行によってｍ（ｍ≧１）種類の特色の検出ができなかったものとする（Ｓ４’）。ここで、設定登録された表示色を優先順位の順にＭ１〜Ｍｋと表し、検出できなかった特色をＳｐｏｔＣｏｌｏｒ Ｎ１〜Ｎｍ（ここで、Ｎｉ＜Ｎｊ、１≦ｉ＜ｊ≦ｋ）と表す。
【００７５】
以下、このような場合に対してカラー情報設定手段３０３を実行するときのＣＰＵ３１による処理（Ｓ５’）について説明する。まず、カラー情報設定手段３０３を実行して、Ｓ１’で登録された表示色の数（登録表示色数と略称する）と、Ｓ４’で検出できなかった特色の数（検出不能特色数と略称する）とを比較する（Ｓ５１）。
【００７６】
ｍ≦ｋである場合（Ｓ５２；Ｙ）、つまり、検出不能特色数が登録表示色数以下である場合、カラー情報設定手段３０３を実行するＣＰＵ３１は、検出できなかった特色全てに対してカラー情報を設定する。このとき、ＳｐｏｔＣｏｌｏｒ Ｎ１の特色に対して優先順位１の表示色Ｍ１のカラー情報が設定され、ＳｐｏｔＣｏｌｏｒ Ｎ２の特色に対して優先順位２の表示色Ｍ２のカラー情報が設定され、・・・、ＳｐｏｔＣｏｌｏｒ Ｎｍの特色に対して優先順位ｍの表示色Ｍｍのカラー情報が設定される。即ち、一般に、ＳｐｏｔＣｏｌｏｒ Ｎｉの特色に対して優先順位ｉの表示色Ｍｉのカラー情報が設定される（１≦ｉ≦ｍ）（Ｓ５３）。そして、各色のカラー情報は、表示制御手段３０４を実行することによりＲＧＢ変換される（Ｓ６）。
【００７７】
一方、ｍ＞ｋである場合（Ｓ５２；Ｎ）、つまり、登録表示色数よりも検出不能特色数の方が多い場合には、ＳｐｏｔＣｏｌｏｒ Ｎ１〜Ｎｋについては、表示色Ｍ１〜Ｍｋのカラー情報が優先順位の順で設定される（Ｓ５４）。そして、その他のＳｐｏｔＣｏｌｏｒ Ｎ（ｋ＋１）〜Ｎｍについては、再び優先順位１の表示色からカラー情報が設定される（Ｓ５５）。即ち、ＳｐｏｔＣｏｌｏｒ Ｎ（ｋ＋１）〜Ｎｍには、優先順位１から優先順位ｍ−ｋの表示色のカラー情報がこの順で設定される。
【００７８】
なお、ｍ＞２ｋである場合には、ｍ−αｋ≦ｋとなるまでｋ種類の表示色を優先順位の順でα回繰り返し設定して、残りの特色には表示色Ｍ１〜Ｍ（（α＋１）ｋ−ｍ）のカラー情報を優先順位の順で設定すればよい。
【００７９】
カラー情報設定手段３０３の実行によるこのような処理が終了したら、表示制御手段３０４を実行することによって各色のカラー情報がＲＧＢ変換される（Ｓ６）。
【００８０】
このような処理を行うことにより、モニタ４で表示される特色数が多い場合であっても、登録された表示色を用いて色の重複を可能な限り回避することが可能となる。
【００８１】
なお、初めから十分に多くの種類の表示色を設定登録しておくことにより、上記色の重複を回避するようにするのがより好適である。
【００８２】
また、以上の実施形態では、Ｃ、Ｍ、Ｙ、Ｋの色成分に分解された特色版ファイルの色成分情報を設定するような構成とされているが、画像表示装置が各色版ファイルをＬ＊ａ＊ｂ＊色空間の座標値や濃度、またはＲＧＢ等の形態のカラー情報に変換して処理を行うようになっている場合においては、カラー情報設定手段３０３は、当該変換されたカラー情報の形態からなる特色版ファイルのカラー情報を設定するよう構成することができる。例えば、Ｃ、Ｍ、Ｙ、Ｋの色成分からなる特色の色成分情報にＬ＊ａ＊ｂ＊変換を施してＬ＊、ａ＊、ｂ＊の座標値からなるカラー情報を処理する場合においては、表示色設定手段３０１を実行することによりＬ＊、ａ＊、ｂ＊の所定の座標値で表現された表示色を、優先順位を付けてあらかじめ設定登録し、カラー情報検出手段３０２を実行することにより色成分を検出できなかった特色に対してこの表示色を割り当てて、割り当てられた表示色を用いて当該特色をモニタ４に表示するように構成することができる。また、表示色をＣ、Ｍ、Ｙ、Ｋ等の色成分情報で設定登録しておく場合でも、この色成分情報を例えばＬ＊、ａ＊、ｂ＊に変換してから特色に割り当てるようにしてもよい。
【００８３】
以上のような本実施形態の画像出力システムによれば、入力された画像データから特色のカラー情報を取得できない場合であっても、モニタ４により特色を表現することが可能となる。
【００８４】
また、基本色Ｃ、Ｍ、Ｙ、Ｋに対して色差の大きなＲ、Ｇ、Ｂやこれらを主要な成分とする色を表示色として設定登録することにより、モニタ４上における特色の識別力を向上させることが可能となる。
【００８５】
更に、類似する表示色が連続しないように優先順位を設定することにより、モニタ４に表示される異なる特色を明確に区別させることができる。
【００８６】
［第２の実施の形態］
次に、本発明に係る画像出力システムの他の実施形態について説明する。本発明の第２の実施形態として説明する画像出力システムは、画像データに含まれる特色の明度や彩度が低い場合に、画像データに所定の処理を加えてその特色をモニタ上で識別しやすいようにすることにより、カラープルーフの仕上がりのチェックを容易にするためのものである。当該画像出力システムは、第１の実施形態として説明した画像出力システムとほぼ同様の構成を備えている。よって、特に指摘をしない限り、同様の構成要素については同じ符号を付して説明を行うこととし、その詳細に関しては第１の実施形態における説明を参照することとする。
【００８７】
さて、第２の実施形態に係る画像出力システムは、図１に示したように、画像編集端末１Ａ〜１Ｃにより編集が施された画像データをＲＩＰ２によって処理し、処理された画像データを画像表示装置３によってモニタ４に表示するよう構成されたものである。
【００８８】
〔画像表示装置の構成〕
図７は、本実施形態に係る画像表示装置３の概略構成の一例を示すブロック図である。当該画像表示装置３には、ＣＰＵ３１、メインメモリ３２、バッファ３３、ＨＤＤ３５、ユーザＩ／Ｆ３６、表示Ｉ／Ｆ３７およびＩ／Ｆ部３８が含まれている。更に、メインメモリ３２には、ＣＰＵ３１の制御によりＨＤＤ３５からコピーされた、カラー情報検出手段３２１、カラー情報変更手段３２２および表示制御手段３２３としての機能を実現するコンピュータプログラムが記憶されている。
【００８９】
カラー情報検出手段３２１は、第１の実施形態におけるカラー情報検出手段３０２と同様に、ＲＩＰ２から送信される画像データを形成するＣ、Ｍ、Ｙ、Ｋおよび特色の色成分を検出するための機能を実現するコンピュータプログラムであり、このコンピュータプログラムを実行するＣＰＵ３１が本発明にいうカラー情報検出手段を構成している。ＣＰＵ３１は、カラー情報検出手段３２１を実行することにより、ＲＩＰ２から送信されるＣ版ファイル、Ｍ版ファイル、Ｙ版ファイル、Ｋ版ファイルおよび特色版ファイルにそれぞれ保存された色成分情報をメインメモリ３２内の所定領域に記憶させるよう機能する。
【００９０】
カラー情報変更手段３２２は、カラー情報検出手段３２１を実行して検出されたファイル、特に、特色版ファイルの色成分情報を変更するための機能を実現するコンピュータプログラムであり、このコンピュータプログラムを実行するＣＰＵ３１が本発明にいうカラー情報変更手段を構成している。ＣＰＵ３１は、カラー情報変更手段３２２を実行することにより、次のようにして色成分の変更を行う。まず、ユーザインターフェイスを用いて、入力される特色版ファイルのＣ、Ｍ、Ｙ、Ｋの各色成分の総和のしきい値Ｔを設定しておく。このとき、上記各色成分の単なる総和に関するしきい値を設定してもよいし、各色成分毎に所定の重み付けを行い、その重みが積算された各色成分の総和を取った場合のしきい値を設定するようにしてもよい（例えば、Ｃの重みをａ、Ｍの重みをｂ、Ｙの重みをｃ、Ｋの重みをｄとし、特色のＣ成分がｘ％、Ｍ成分がｙ％、Ｙ成分がｚ％、Ｋ成分がｗ％とすると、ａ×ｘ＋ｂ×ｙ＋ｃ×ｚ＋ｄ×ｗのしきい値をＴとする）。なお、しきい値の設定は、ネットワークや情報記憶媒体を介してデータを取得するようにしてもよい。以下、簡略化のため、特色の各色成分の単なる総和（上記例ではｘ＋ｙ＋ｚ＋ｗ）のしきい値を採用した場合について説明する。
【００９１】
図８は、カラー情報変更手段３２２を実行するときのＣＰＵ３１による処理の一例を示している。まず、しきい値Ｔ＝７５を予め設定し（Ｔの値は、モニタ４で表現される上で明度や彩度を十分に担保できる範囲において適宜設定可能である）、ＨＤＤ３５に保存する（同図の符号１００）。カラー情報変更手段３２２は、カラー情報検出手段３２１を実行して検出された特色の各色成分の総和Ｓを演算する。図８に示す、入力された色版ファイルの色成分情報１０００においては、特色ＳｐｏｔＣｏｌｏｒ １の色成分はＣが９０％、Ｍが６０％、ＹおよびＫが０％であり、特色ＳｐｏｔＣｏｌｏｒ ２の色成分はＣが１０％、Ｍが３０％、ＹおよびＫが０％となっている。符号２００に示す各特色の色情報の総和情報は、特色ＳｐｏｔＣｏｌｏｒ １については総和Ｓ＝１５０と、特色ＳｐｏｔＣｏｌｏｒ ２については総和Ｓ＝４０とからなっている。
【００９２】
次に、カラー情報変更手段３２２を実行するＣＰＵ３１は、設定されたしきい値Ｔ＝７５と各特色の総和Ｓとを比較する（図８の符号３００）。特色ＳｐｏｔＣｏｌｏｒ １のように総和Ｓがしきい値Ｔと等しいかまたはＴより大きい（つまりＳ≧Ｔ）特色については、モニタ表示において明度や彩度を担保可能というしきい値Ｔの設定条件により色成分の変更は施されない（変更された色版ファイルの色成分情報１０００’を参照）。
【００９３】
一方、特色ＳｐｏｔＣｏｌｏｒ ２のように総和Ｓがしきい値Ｔよりも小さい（つまりＳ＜Ｔ）特色については、モニタ４で表示されたときの明度や彩度が足らず視認性が十分ではないものとして、色成分の変更を行う。この色成分の変換の態様としては、様々なものが考えられる。図８に示す処理では、色成分の総和がしきい値Ｔ以上となるまで各色成分をそれぞれ等倍したときの値に変更されるよう構成されており、特色ＳｐｏｔＣｏｌｏｒ ２のＣの色成分は１０％から２０％に変更され、Ｍの色成分は３０％から６０％に変更されている（ＹおよびＫは０％のままである）。即ち、一般に、或る特色のＣ成分がｘ％、Ｍ成分がｙ％、Ｙ成分がｚ％、Ｋ成分がｗ％（ｘ＋ｙ＋ｚ＋ｗ＜Ｔ）とすると、ｒ×（ｘ＋ｙ＋ｚ＋ｗ）≧Ｔ、かつ、（ｒ−１）×（ｘ＋ｙ＋ｚ＋ｗ）＜Ｔとなる正の整数ｒを用いて、当該特色のＣ成分をｒ×ｘ％、Ｍ成分をｒ×ｙ％、Ｙ成分をｒ×ｚ％、Ｋ成分をｒ×ｗ％に変更するようになっている。このような変換態様を用いることにより、入力された各色成分間の比率を保持しつつ、明度・彩度を大きくさせることができるので、特色の再現性を保ったまま識別力の高いモニタ表示を行うことができる。なお、しきい値Ｔ＞１００と設定した場合、各色成分が取りうる値の最大値は１００％とする。
【００９４】
このように、カラー情報変更手段３２２を実行するＣＰＵ３１は、本発明にいう明度判断手段および彩度判断手段を形成するものでもある。特色の明度や彩度を判断する他の具体的方法としては、当該特色をＣＭＹＫ色成分による表現からＬ＊ａ＊ｂ＊色空間の座標値による表現に変換し、明度についてはＬ＊の座標値を基にしきい値Ｔｌを定め、Ｌ＊＜Ｔｌである場合に当該特色の明度が小さいものと判断してカラー情報を変更するようにし、また、彩度についてはａ＊およびｂ＊を基にしきい値Ｔｓを定め、｛（ａ＊）＾２＋（ｂ＊）＾２｝＾（１／２）＜Ｔｓである場合に当該特色の彩度が小さいものと判断してカラー情報を変更するよう構成することができる。
【００９５】
表示制御手段３２３は、（本発明にいう表示制御手段としての）ＣＰＵ３１によって実行されることにより、カラー情報変更手段３２２の実行によって色成分が変更された特色版ファイルと、変更されなかった特色版ファイル、更に基本色版ファイルを用いて、画像をモニタ４に表示させるための制御を行うコンピュータプログラムである（図４を参照）。
【００９６】
〔画像出力システムの動作・作用〕
以上のような構成の画像表示装置３を備えた画像出力システムの動作およびその作用について、図９に示すフローチャートを参照して説明する。
【００９７】
まず、ユーザＩ／Ｆ３６を用いて、特色版ファイルの色成分情報を形成する色成分の総和Ｓのしきい値Ｔを設定する（Ｓ１０１）。画像編集端末１Ａ〜１Ｃにより編集された画像データがＲＩＰ２による処理を介して画像表示装置３に入力されると（Ｓ１０２）、ＣＰＵ３１は、カラー情報検出手段３２１を実行して、当該画像データに含まれる特色のカラー情報を検出する（Ｓ１０３）。
【００９８】
次に、ＣＰＵ３１は、カラー情報変更手段３２２を実行することにより、入力された特色版ファイルに係る色成分の総和Ｓを演算し（Ｓ１０４）、算出された総和Ｓとしきい値Ｔとを比較する（Ｓ１０５）。特色版ファイルが複数含まれている場合には、各特色版ファイルについて総和を演算する。
【００９９】
色成分の総和Ｓがしきい値Ｔよりも小さな（つまりＳ＜Ｔ）特色が存在する場合（Ｓ１０６；Ｙ）、その特色の色成分を、色成分の総和が大きくなるよう、それぞれ変更する（Ｓ１０７）。総和Ｓ≧しきい値Ｔである特色については、色成分の変更は施さない。
【０１００】
更に、ＣＰＵ３１は、表示制御手段３０４を実行することにより、カラー情報変更手段３２３の実行により色成分の変更が行われた特色の色成分情報をＲＧＢに変換するとともに、その他の色の色成分情報（各基本色の色成分や、カラー情報変更手段３２２により変更がなされなかった特色の色成分）にＲＧＢ変換を施す（Ｓ１０８）。
【０１０１】
なお、入力された画像データに特色版ファイルが含まれていない場合は、通常の処理の通りに、当該画像データを形成する基本色版ファイルにＲＧＢ変換を施すようになっている。
【０１０２】
最後に、ＣＰＵ３１は、表示制御手段３０４を実行して、ＲＧＢ変換された画像データを基に、Ｉ／Ｆ部３８を制御してモニタ４に画像を表示させる（Ｓ１０９）。
【０１０３】
以上のような構成の画像出力システムによれば、モニタ表示される画像を形成する特色の明度や彩度の条件により特色の識別力が芳しくない場合に、明度や彩度を変更して特色の識別力を向上させることが可能となる。
【０１０４】
なお、本実施形態においても、ＣＭＹＫからなる特色版ファイルをＬ＊ａ＊ｂ＊色空間の座標値や濃度、ＲＧＢ等の形態に変換して処理する場合、当該形態でのカラー情報の変更するようカラー情報変更手段３２２を構成することが可能である。
【０１０５】
以上説明した本発明に係る構成はあくまでも実施形態の一例に過ぎないもので、よって、本発明の主旨の範囲内における各種の構成の変形や追加等を施すことができる。
【図面の簡単な説明】
【０１０６】
【図１】本発明に係る画像出力システムの実施の形態の全体構成の一例を示す概略ブロック図である。
【図２】本発明に係る画像出力システムの実施の形態の一例により設定される表示色情報の一例を示す概念図である。
【図３】本発明に係る画像出力システムの画像表示装置のカラー情報設定手段による処理の一例を示す図である。
【図４】本発明に係る画像出力システムの画像表示装置の表示制御手段による処理の一例を示す図である。
【図５】本発明に係る画像出力システムによる処理の一例を示すフローチャートである。
【図６】本発明に係る画像出力システムによる処理の一例を示すフローチャートである。
【図７】本発明に係る画像出力システムの画像表示装置の構成の一例を示す概略ブロック図である。
【図８】本発明に係る画像出力システムの画像表示装置のカラー情報変更手段による処理の一例を示す図である。
【図９】本発明に係る画像出力システムによる処理の一例を示すフローチャートである。
【符号の説明】
【０１０７】
１Ａ〜１Ｃ  画像編集端末
２  ＲＩＰ（Ｒａｓｔｅｒ Ｉｍａｇｅ Ｐｒｏｃｅｓｓｏｒ）
３  画像表示装置
３１  ＣＰＵ
３２  メインメモリ
３０１  表示色設定手段
３０２  カラー情報検出手段
３０３  カラー情報設定手段
３０４  表示制御手段
３０５  形成手段
３０６  出力制御手段
３０７  プロセスカラー入力手段
３０８  色分解手段
３２１  カラー情報検出手段
３２２  カラー情報変更手段
３２３  表示制御手段
３３  バッファ
３４  表示色メモリ
３４ａ  表示色情報
３５  ハードディスクドライブ（ＨＤＤ）
３６  ユーザインターフェイス（ユーザＩ／Ｆ）
３７  表示インターフェイス（表示Ｉ／Ｆ）
３８  インターフェイス部（Ｉ／Ｆ部）
４  モニタ
５  カラープルーフ出力装置
６  ＣＴＰ（Ｃｏｍｐｕｔｅｒ Ｔｏ Ｐｌａｔｅ）出力装置
【図１】
2005094504.tif 000003
【図２】
2005094504.tif 000004
【図３】
2005094504.tif 000005
【図４】
2005094504.tif 000006
【図５】
2005094504.tif 000007
【図６】
2005094504.tif 000008
【図７】
2005094504.tif 000009
【図８】
2005094504.tif 000010
【図９】
2005094504.tif 000011